(57)【特許請求の範囲】
【請求項１】
洪水時などに一定領域への浸水を防ぐためのパネル土のうにおいて、
前記一定領域とは反対方向に延設された水平部と、
前記水平部の前記一定領域側端部から垂直方向に延設された垂直部と、
を備え、
前記水平部、および前記垂直部が、
防水素材であって、前記延設方向に連通した中空部を有し、
前記中空部が、
前記水平部の延設方向側端部から、前記垂直部の延設方向側端部まで連通していることを特徴とするパネル土のう。
【請求項２】
前記水平部、および前記垂直部が、
表面材と背面材とからなる二層構造であって、
幅方向に重ねて接続するために、
前記表面材からなる重ね部と、
前記背面材からなる重なり受け部と、
を備えることを特徴とする請求項１記載のパネル土のう。
【請求項３】
前記重ね部と、前記重なり受け部における前記延設方向側端部に、
前記重ね部と、前記重なり受け部を重ねたときに組み合わさるカギ型部を備えることを特徴とする請求項１記載のパネル土のう。
【請求項４】
前記カギ型部が、
前記重ね部と、前記重なり受け部を完全には重ねないときでも組み合わさるように余裕をもって構成されていることを特徴とする請求項３記載のパネル土のう。
【請求項５】
前記カギ型部を覆い、前記水平部、および前記垂直部の厚み方向に挟んで固定する固定具を備えることを特徴とする請求項３記載のパネル土のう。
【請求項６】
前記水平部の延設方向側端部の上面に金属製板が取り付けられていることを特徴とする請求項１記載のパネル土のう。
【請求項７】
前記金属製板が、
ステンレス板であることを特徴とする請求項６記載のパネル土のう。
【請求項８】
前記水平部、および前記垂直部の延設方向側端部が厚みの中心方向に曲げ加工されていることを特徴とする請求項１記載のパネル土のう。
【請求項９】
前記重ね部の背面に止水用のシール素材が取り付けられていることを特徴する請求項１記載のパネル土のう。
【請求項１０】
前記水平部の背面における、幅方向側端部、および延設方向側端部に止水用のシール素材が取り付けられていることを特徴する請求項１記載のパネル土のう。
【請求項１１】
前記水平部の背面における、幅方向中心に滑り止めが取り付けられていることを特徴する請求項１記載のパネル土のう。
【請求項１２】
前記滑り止めが、
ゴム素材であることを特徴とする請求項１１記載のパネル土のう。
【請求項１３】
前記水平部、および前記垂直部が、
プラスチック製段ボールで構成されることを特徴とする請求項１記載のパネル土のう。
【請求項１４】
洪水時などに一定領域への浸水を防ぐためのパネル土のうの製造方法において、
前記一定領域とは反対方向に延設された水平部と、
前記水平部の前記一定領域側端部から垂直方向に延設された垂直部と、
を備え、
前記水平部、および前記垂直部が、
防水素材であって、前記延設方向に連通した中空部を有し、
前記中空部が、
前記水平部の延設方向側端部から、前記垂直部の延設方向側端部まで連通しており、
一枚の板状素材を折り曲げ加工して前記水平部、および前記垂直部が構成され、
折り曲げ方向からＶ字に切り欠いた後に前記折り曲げ加工を行うことを特徴とするパネル土のうの製造方法。
【発明の詳細な説明】
【技術分野】
【０００１】
本発明は、パネル土のう、およびその製造方法に関し、特に洪水時などに一定領域への浸水を防ぐためのパネル土のう、およびその製造方法に関する。
【背景技術】
【０００２】
従来から洪水時などに一定領域への浸水を防ぐために土のうを積んで防水堤を築くことがある。このときに用いられる土のうは、１つ１６〜２０キロあるので、そもそも土のうを作ること自体が大変な労力が必要であり、かつその土のうを積み上げることがまたとても労力が必要な行為であった。そこで、いくつかの提案がなされている。
【０００３】
たとえば第１の提案としては、土のうの中身を吸水ポリマーにしたものが提案されている（たとえば、特許文献１参照）。これによると、通常の中身が砂の土のうに比べると比較的軽量になるので、土のうの設置が比較的容易になる。
【０００４】
また第２の提案としては、ＡＢＳ（Acrylonitrile Butadiene Styrene）製の板状の止水パネルも提案されている。これによると、保存性がよく、パネルを置くことにより設置が可能なので、設置工程を比較的少なくすることができる。
【先行技術文献】
【特許文献】
【０００５】
【特許文献１】特開２００２−２６６３３０号公報
【発明の概要】
【発明が解決しようとする課題】
【０００６】
しかし、第１の提案の吸水ポリマーの土のうは、吸水ポリマーの性質上保存性が悪く、長く保存をした状態で使用しようとしたときにすでに使えなくなっていることがあるという土のうとしての根本的な問題がある。
【０００７】
第２の提案のＡＢＳ製の板状の止水パネルは、一般的な土のうよりは軽いものの、パネル自体の重さはそれなりに重く、設置工程を少なくすることはできるものの、設置のための労力が少なくなったとまでは言えない。
【０００８】
本発明はこのような点に鑑みてなされたものであり、保存性がよく、軽量であるために設置労力が著しく少ないパネル土のうを提供することを目的とする。
【課題を解決するための手段】
【０００９】
本発明では上記問題を解決するために、洪水時などに一定領域への浸水を防ぐためのパネル土のうにおいて、前記一定領域とは反対方向に延設された水平部と、前記水平部の前記一定領域側端部から垂直方法に延設された垂直部とを備え、前記水平部、および前記垂直部が、防水素材であって、前記延設方向に連通した中空部を有し、前記中空部が、前記水平部の延設方向側端部から、前記垂直部の延設方向側端部まで連通していることを特徴とするパネル土のうが提供される。
【００１０】
また、本発明では、洪水時などに一定領域への浸水を防ぐためのパネル土のうの製造方法において、前記一定領域とは反対方向に延設された水平部と、前記水平部の前記一定領域側端部から垂直方法に延設された垂直部とを備え、前記水平部、および前記垂直部が、防水素材であって、前記延設方向に連通した中空部を有し、前記中空部が、前記水平部の延設方向側端部から、前記垂直部の延設方向側端部まで連通しており、一枚の板状素材を折り曲げ加工して前記水平部、および前記垂直部が構成され、折り曲げ方向からＶ字に切り欠いた後に前記折り曲げ加工を行うことを特徴とするパネル土のうの製造方法が提供される。
【発明の効果】
【００１１】
本発明のパネル土のうによれば、中空部が、水平部の延設方向側端部から垂直部の延設方向側端部まで連通しているので、浸水時には水平部の中空部から垂直部の中空部方向に空気が抜けることにより、水平部、および垂直部における中空部に水が入り込む。したがって、中空部に空気がたまって浮力が発生することにより浮きや、浮きによる位置ずれすることを防止できる。さらに、中空部を有するような比較的軽くて丈夫な素材を用いることができることから、保存性がよく、軽量であるために設置労力を著しく少なくすることができる。
【００１２】
また、本発明のパネル土のうの製造方法によれば、折り曲げ方向からＶ字に切り欠いた後に折り曲げ加工を行うことにより水平部と垂直部が構成されることから、比較的容易に水平部の延設方向側端部から垂直部の延設方向側端部まで中空部が連通したパネル土のうを製造することが可能となる。
【図面の簡単な説明】
【００１３】
【図１】本実施の形態に係るパネル土のうの構成を示す図である。
【図２】本実施の形態に係るパネル土のうの正面図である。
【図３】本実施の形態に係るパネル土のうの上面図である。
【図４】垂直部と水平部の接合部分の拡大断面図である。
【図５】本実施の形態に係る熱折り曲げ加工を示す図である。
【図６】本実施の形態に係るパネル土のうの背面図である。
【図７】本実施の形態に係るパネル土のうの底面図である。
【発明を実施するための形態】
【００１４】
以下、本発明の実施の形態を図面を参照して詳細に説明する。
図１は、本実施の形態に係るパネル土のうの構成を示す図である。
図１に示すように、パネル土のう１００は、表面材１１０と背面材１２０を貼り合わせて構成されている。また、パネル土のう１００は、垂直部１０１と水平部１０２とから構成されている。
【００１５】
表面材１１０と背面材１２０の重なり具合に基づいて、表面材１１０と背面材１２０が重なり合っている中央部１３０、垂直部１０１の上端部の一部分のみ表面材１１０が重なっている他は背面材１２０のみからなる重なり受け部１４０、および表面材１１０のみからなる重ね部１５０が形成される。
【００１６】
中央部１３０には、水平部１０２の端部にステンレス板１６０が貼付されている。また、水平部１０２の端部の重なり受け部１４０側に、連結フレーム１７１が設けられている。連結フレーム１７１は、回動するように設けられている。
以下、各部材の詳細な説明を行う。
【００１７】
図２は、本実施の形態に係るパネル土のうの正面図である。
図２に示すように、垂直部１０１の重なり受け部１４０には、表面材１１０における上部にカギ部１４１が設けられている。連結フレーム１７２は、垂直部１０１の中央部１３０上端部に設けられており、カギ部１４１を覆うように回動可能に取り付けられている。
【００１８】
垂直部１０１の重ね部１５０は、表面材１１０における上部にカギ受け部１５１が設けられている。
【００１９】
パネル土のう１００を連結する際には、重ね部１５０が重なり受け部１４０の上に来るように重ねる。このとき、カギ部１４１とカギ受け部１５１がひっかかることにより連結が強化され、さらに連結フレーム１７２を閉じることによってより連結が強固になる。
このとき、カギ部１４１とカギ受け部１５１との間は隙間を設けて嵌めあわせることができるように形成されている。これにより、土のうを設置する場所の曲がりに合わせてパネル土のう１００同士の結合部分を曲げて設置することが可能となる。
【００２０】
図３は、本実施の形態に係るパネル土のうの上面図である。
図３に示すように、水平部１０２における中央部１３０の端部にはステンレス板１６０が貼付されている。転がりを防止するためである。
【００２１】
水平部１０２における重なり受け部１４０には、表面材１１０が一部背面材１２０に重なる部分がある。この重なり部分にカギ部１４２が形成されている。また、水平部１０２における重ね部１５０にも、表面材１１０の端部側にカギ受け部１５２が設けられている。
【００２２】
パネル土のう１００を連結する際には、垂直部１０１のときと同様に、カギ部１４２とカギ受け部１５２が嵌め合わされるように、重ね部１５０と、重なり受け部１４０とが重ねられて連結される。
【００２３】
カギ部１４２とカギ受け部１５２が嵌め合わされたとき、連結フレーム１７２を当該嵌め合わせ部分を覆うように回動する。これにより連結が強固なものとなる。また、カギ部１４２とカギ受け部１５２が嵌め合わせには一定のゆとりが設けられており、土のうを設置する場所の曲がりに合わせてパネル土のう１００同士の結合部分を曲げて設置することが可能となる。
【００２４】
図４は、垂直部と水平部の接合部分の拡大断面図である。
図４（Ａ）に示すように、パネル土のう１００の垂直部１０１と水平部１０２の空間は貫通している。本実施の形態に係るパネル土のうはプラスチック段ボール製であって、パネル土のうを作るときにはプラスチック段ボール素材の熱折り曲げ加工を行うが、通常の方法により熱折り曲げ加工を行うと図４（Ｂ）のように折り曲げ部分がつぶれてしまい、垂直部１０１の空間と、水平部１０２の空間が隔絶されてしまう。
【００２５】
このように垂直部１０１の空間と、水平部１０２の空間が隔絶されてしまうと、パネル土のう１００に水が押し寄せたときに、水平部１０２の空間には水が入るが、垂直部１０１と水平部１０２の間の隔壁１０３によって水は垂直方向へ上がっていくことがない。水平部１０２への水の進入も、空気の逃げ道がないためうまく水が入らないこともある。
【００２６】
このように水が垂直部１０１はおろか、水平部１０２にも入らないと、プラスチック段ボール製のパネル土のう１００は水に対して浮力が発生してしまい土のうとしての機能を著しく害する。
【００２７】
そこで、垂直部１０１と水平部１０２の間に隔壁１０３が形成されないような特殊な熱折り曲げ加工を行うことによって、垂直部１０１の空間と水平部１０２の空間とが連通するようにしてある。これにより、水平部１０２に水が進入しやすくなる上に、垂直部１０１にも水が上がってくる。これにより、水に対して浮力が発生することがないので、土のうとしての機能を害することがない。
【００２８】
図５は、本実施の形態に係る熱折り曲げ加工を示す図である。
図５（Ａ）に示すように、折り曲げ加工前のプラスチック段ボール素材１０４には、折り曲げ部分にあらかじめ切り欠き１０５をいれる加工を行う。図５（Ｂ）、（Ｃ）に示すように、この切り欠き１０５の部分に対して、通常の熱折り曲げ加工と同様に、熱したほぼ直角の治具２００をあてて熱折り曲げ加工を行う。このようにあからじめ切り欠き１０５を設けた上で、熱折り曲げ加工を行うことにより、図４（Ｂ）に示す隔壁１０３が形成されることを防ぐことができ、垂直部１０１の中空部と、水平部１０２の中空部とが連通するようになる。
【００２９】
このようにすることにより、プラスチック段ボールのような中空素材のよさである、軽量でありながら丈夫であるという良さをパネル土のうに生かすことができる。つまり、保存性が良い上に、軽量であるので土のうの作成工程が不要で、設置工程を少なくでき、かつ設置労力を著しく少なくすることができる。さらに、ＡＢＳ製のパネルを製造するときのように金属の型は必要なく、小ロットで製品を作るときにもコストが非常に高くなるという問題も生じない。
【００３０】
図６は、本実施の形態に係るパネル土のうの背面図である。
図６に示すように、重ね部１５０の背面には、シール材１８０が貼付されている。このシール材１８０はたとえば発泡ゴム製のシール材が用いられる。これにより、重ね部１５０が、重なり受け部１４０と重ねられたときに水の漏れを防ぐことができる。
【００３１】
図７は、本実施の形態に係るパネル土のうの底面図である。
図７に示すように、底面の中央部１３０から重なり受け部１４０にわたった端部、および中央部１３０と重なり受け部１４０の幅方向側端部にもシール材１８０が貼付されている。また、重ね部１５０の背面にもシール材１８０が貼付されている。
【００３２】
さらに、中央部１３０から重なり受け部１４０にかけての幅方向中央部にはゴム板１９０が貼付されている。このゴム板１９０は、滑り止めの機能を果たし、パネル土のう１００を設置したときに位置ずれを防止することができる。
【符号の説明】
【００３３】
１００  パネル土のう
１０１  垂直部
１０２  水平部
１０３  隔壁
１０４  プラスチック段ボール素材
１１０  表面材
１２０  背面材
１３０  中央部
１４０  重なり受け部
１４１，１４２  カギ部
１５０  重ね部
１５１，１５２  カギ受け部
１６０  ステンレス板
１７１，１７２  連結フレーム
１８０  シール材
１９０  ゴム板
２００  治具
【図１】
0006511334.tif 000002
【図２】
0006511334.tif 000003
【図３】
0006511334.tif 000004
【図４】
0006511334.tif 000005
【図５】
0006511334.tif 000006
【図６】
0006511334.tif 000007
【図７】
0006511334.tif 000008